(57)【要約】【課題】建物の外観を損ねることなく、強風時にはすだれを自動的に格納し、すだれの破損を防止することこと。【解決手段】筒状の本体部２０に巻回可能な日よけ部材１０と、日よけ部材１０の巻出し巻き上げ動作を行うモータ３０と、外気温に応じて動作するスイッチ部９０と、スイッチ部９０からの動作信号を受信する信号受信部４０と、モータ３０の電源供給を制御する電源供給制御部５０とを備え、本体部２０の一端部に細径部８０を連結し、その先端部に長孔８６を有する保持具８５を取り付け、保持具８５を保持部材７０の切欠部７２に嵌合保持させ、強風時に細径部８０を長孔８６内でスライド移動させ、長孔８６の建物Ｋ側端部の接地電極８７と細径部８０の電極８４との間で電流が供給されると、本体部２０が日よけ部材１０を巻き上げながら位置決め用凹部８６ａに戻るように構成されている。【選択図】図１２
2012251326.tif 000002
【特許請求の範囲】
【請求項１】
筒状体に形成された本体部と、
該本体部の外周面に配設された連結具を介して、当該本体部の外周面に巻回可能に取り付けられた日よけ部材と、
前記本体部外周面へ巻回された状態の前記日よけ部材を前記本体部外周面から巻き出す巻出し動作と、前記本体部外周面から巻き出された状態の前記日よけ部材を前記本体部外周面に巻回させる巻き上げ動作と、を行う際の駆動源と、
外気温に応じて、前記駆動源による前記日よけ部材の巻出し動作または巻き上げ動作を実行させるための動作信号を生成および送信する動作信号生成送信部を有するスイッチ部と、
前記動作信号を受信するための信号受信部と、
該信号受信部が受信した動作信号に応じて前記駆動源への電源供給状態を切り替え制御する電源供給制御部と、を具備し、
該本体部の一方の端部には、建物に取り付けられた保持部材に前記細径部を保持させるための保持具が取り付けられていて、
当該保持具には、前記建物に対して前記本体部の一方の端部が接離動する方向に伸びる長孔が形成されていて、該長孔は、前記建物側端部の高さ位置が他端部の高さ位置よりも上方位置となる形状に形成されていると共に、前記建物側端部に接触スイッチが設けられていて、
外部空間が予め設定されている風速以下である通常時には、前記本体部の一方の端部は前記長孔の他端部にて保持されていて、
外部空間が予め設定されている風速以上である強風時に前記本体部の一方の端部が前記長孔の他端部から前記長孔の建物側端部に移動し、前記接触スイッチに前記本体部の一方の端部が接触した場合、前記接触スイッチが接触検出信号を生成すると共に前記信号受信部に接触検出信号を送信し、前記信号受信部が前記接触検出信号を受信すると、前記電源供給制御部は、前記本体部外周面に前記日よけ部材を巻回させる巻き上げ動作をすべく、前記駆動源への電源供給状態を切り替え制御することを特徴とする自動すだれ。
【請求項２】
前記長孔には、前記本体部の一方の端部を位置決めして保持するための位置決め用凹部が設けられていて、
外部空間が予め設定されている風速以下である通常時には、前記本体部の一方の端部は前記位置決め用凹部にて保持されていることを特徴とする請求項1記載の自動すだれ。
【請求項３】
前記信号受信部または前記電源供給制御部には、前記信号受信部が前記接触検出信号を受信した後に所要時間が経過するまでの間に次の接触検出信号を受信した場合において、当該次の接触検出信号に基づいた前記電源供給制御部による前記動力源への電源供給制御を停止させるポーズ機能が設けられていることを特徴とする請求項１または２記載の自動すだれ。
【請求項４】
前記接触スイッチは、
前記保持具に取り付けられた接地電極と、
前記本体部の一方の端部に前記保持具を挟持することが可能な配置で設けられた挟持体に取り付けられた電極と、
前記接地電極および前記電極と、前記信号受信部と、をそれぞれ電気的に接続する配線と、により構成されていて、
前記接触検出信号は、前記接地電極および前記電極と前記信号受信部との間の導通によりなることを特徴とする請求項１〜３のうちのいずれか一項に記載の自動すだれ。
【請求項５】
前記本体部の少なくも一方の端部には、前記本体部の径寸法よりも細径寸法に形成された細径部が前記本体部の回転軸と同軸配置に連結されていて、
前記保持具には前記細径部の先端部が保持されていることを特徴とする請求項１〜４のうちのいずれか一項に記載の自動すだれ。
【請求項６】
前記細径部は、前記本体部の一方の端部位置からの突出量が調整可能であることを特徴とする請求項５記載の自動すだれ。
【発明の詳細な説明】
【技術分野】
【０００１】
本発明は自動すだれに関し、より詳細には強風時に自動的に巻き出された状態の日よけ部材を収納することが可能な自動すだれに関する。
【背景技術】
【０００２】
近年の建築物は、断熱性能が高く四季を通じて快適な生活をすることが可能になっているものが多い。このような断熱性能の向上は、壁の内部や表面に配設した断熱材の性能向上によるところが大きく、壁部分の断熱性能が建築物の断熱性能の良否を決定するともいえる。
ところで建築物の壁部分には採光や出入り口としての窓や扉が配設されることが多い。壁部分に窓や扉を配設する際には壁の一部に開口部を形成し、この開口部に窓や扉が取り付けられることになる。すなわち壁部分の一部から断熱材が取り除かれた状態になるため、窓や扉が取り付けられた部分における断熱性能は本来の壁部分が有していた断熱性に比較して大幅に低下する。
【０００３】
特に窓の部分は、透明部材であるガラス面で占められているため、窓に照射される日光はそのほとんどが室内に入り込むことになり、夏場における室内の温度上昇は顕著であり、エアコン等を用いなければ快適な生活を送ることが困難になる。近年では、赤外線の透過を防止するガラスも提供されてはいるものの、このようなガラスは高価であるため一般住宅にはあまり普及していない。このため、窓部分への日光の照射による室内空間の温度上昇を避けたい夏場においては、窓部分に日射遮閉対策を施すことが有効であるといえる。
【０００４】
日本においては、窓等に代表される建築物の開口部分への夏場の直射日光を避けるための道具としてすだれを使用することが広く知られている。すだれを建築物の開口部分である窓部分や扉部分等を覆うようにした状態で配設することで、開口部分からの建築物内への直射日光の入り込み量を削減し、建築物内の温度上昇を可及的に防ぐことができるとされている。
このように、すだれを建築物の開口部分を覆うようにして配設することで、開口部分からの建築物内部への直射日光の入り込み量を削減することが可能になるものの、光源としての日光の入り込みを遮ることにもなるため、居住空間が暗くなってしまうという課題がある。このため、居住空間への直射日光の入り込みがない場合においては、すだれによる開口部の被覆状態を解除しなければならず、煩雑であった。
【０００５】
このような開口部に対するすだれの設置作業や撤去作業の煩雑さを軽減するため、特許文献１に記載されているような自動すだれの構成が提案されている。
すなわち、特許文献１には、窓の外側上部に電動モータで駆動される巻き胴に巻き上げられるすだれを備えた収納部と、窓の外側の両端部にすだれが窓ガラスに沿って覆われるように移動させるための溝部と、を有し、窓の周辺近傍に配置された光センサの感知により自動的に開閉動作するように制御されていることを特徴とする自動開閉型外付すだれについての発明が開示されている。
【０００６】
特許文献１に開示されている自動開閉型外付すだれ（以下、自動すだれという）の構成によれば、窓部分への日光の照射状態に応じて自動的にすだれを巻き上げたり巻き出したりすることができ、従来のすだれのように窓部分の被覆状態のセットや、すだれによる窓部分の被覆状態を解除する操作を行わなければならないといった煩雑さを解消することができた。また、窓の外側の両端部にすだれが窓ガラスに沿って覆われるように移動させるための溝部が形成されていることにより、強風が吹いた場合であっても、すだれがガラス面にたたきつけられ、ガラスを破損してしまうおそれがなく、好都合であった。
【先行技術文献】
【特許文献】
【０００７】
【特許文献１】特開平１１−５６５９４号公報
【発明の概要】
【発明が解決しようとする課題】
【０００８】
しかしながら、特許文献１に開示されている自動すだれは、外壁面の窓部分に造作を施さなければならず、建物の外観を損ねてしまうおそれがあるという課題の所在や、強風時にすだれに風が吹き付けられることで、すだれ自体が破損してしまうおそれがあるといった新たな課題が見出された。
そこで本願発明は、建物の外観を損ねることなく、強風時にはすだれを自動的に格納し、すだれの破損を防止することが可能な自動すだれの提供を目的としている。
【課題を解決するための手段】
【０００９】
以上の目的を達成するため、本願発明は以下の構成を有する。
すなわち、筒状体に形成された本体部と、該本体部の外周面に配設された連結具を介して、当該本体部の外周面に巻回可能に取り付けられた日よけ部材と、前記本体部外周面へ巻回された状態の前記日よけ部材を前記本体部外周面から巻き出す巻出し動作と、前記本体部外周面から巻き出された状態の前記日よけ部材を前記本体部外周面に巻回させる巻き上げ動作と、を行う際の駆動源と、外気温に応じて、前記駆動源による前記日よけ部材の巻出し動作または巻き上げ動作を実行させるための動作信号を生成および送信する動作信号生成送信部を有するスイッチ部と、前記動作信号を受信するための信号受信部と、該信号受信部が受信した動作信号に応じて前記駆動源への電源供給状態を切り替え制御する電源供給制御部と、を具備し、該本体部の一方の端部には、建物に取り付けられた保持部材に前記細径部を保持させるための保持具が取り付けられていて、当該保持具には、前記建物に対して前記本体部の一方の端部が接離動する方向に伸びる長孔が形成されていて、該長孔は、前記建物側端部の高さ位置が他端部の高さ位置よりも上方位置となる形状に形成されていると共に、前記建物側端部に接触スイッチが設けられていて、外部空間が予め設定されている風速以下である通常時には、前記本体部の一方の端部は前記長孔の他端部にて保持されていて、外部空間が予め設定されている風速以上である強風時に前記本体部の一方の端部が前記長孔の他端部から前記長孔の建物側端部に移動し、前記接触スイッチに前記本体部の一方の端部が接触した場合、前記接触スイッチが接触検出信号を生成すると共に前記信号受信部に接触検出信号を送信し、前記信号受信部が前記接触検出信号を受信すると、前記電源供給制御部は、前記本体部外周面に前記日よけ部材を巻回させる巻き上げ動作をすべく、前記駆動源への電源供給状態を切り替え制御することを特徴とする自動すだれである。
【発明の効果】
【００１０】
本発明にかかる自動すだれは、建物の外観を損ねることなく設置することが可能であり、予め設定された風速以上の風が吹いた場合には日よけ部材を自動的に格納し、日よけ部材に強風が吹き付けられることによる日よけ部材の破損を防止することが可能である。
【図面の簡単な説明】
【００１１】
【図１】本実施形態における自動すだれの本体部の内部構造を示す正面側からの透視図である。
【図２】本実施形態における自動すだれの本体部の正面図である。
【図３】図２に示す自動すだれの本体部に装着されている連結部材の詳細図である。
【図４】第２の連結具の拡大説明図である。
【図５】図１中のＡ部分における拡大図である。
【図６】停止スイッチの渦巻き経路を正面から臨んだ説明図である。
【図７】停止スイッチにおけるアームの移動軌跡を示すキャップ体の内側正面図である。
【図８】図１中Ｂ部分における拡大図である。
【図９】保持具の正面図と左側面図と底面図である。
【図１０】自動すだれの保持具を設置した状態の一例を示す説明図である。
【図１１】自動すだれを保持具に設置した状態の一例を示す平面図である。
【図１２】通常時と強風時における自動すだれの動きを示す保持具の正面図である。
【図１３】スイッチ部の内部構造を示す正面透視図である。
【発明を実施するための形態】
【００１２】
以下、本発明にかかる自動すだれの実施形態について図面に基づいて説明する。図１は、本実施形態における自動すだれの本体部の内部構造を示す正面側からの透視図である。
図２は、本実施形態における自動すだれの本体部の正面図である。図３は、図２に示す自動すだれの本体部に装着されている連結部材の詳細図である。図４は、第２の連結具の拡大説明図である。
本実施形態にかかる自動すだれ１００は、日よけ部材１０と、日よけ部材１０を巻回可能な本体部２０と、後述するスイッチ部９０とを有している。本体部２０とスイッチ部９０とは別体に形成されている。
【００１３】
図１に示すように、細長円筒形状に形成された本体部２０の内部空間には、日よけ部材１０の巻き上げ動作および巻出し動作等の本体部２０の回転駆動を行う際における駆動源であるモータ３０、電源装置４０、信号受信部および電源供給制御部である制御部５０が収容されている。モータ３０は、ハウジング部３２の外周面が所要範囲に亘って本体部２０の内周面に固定された状態で本体部２０の内部に収容されている。本実施形態におけるモータ３０は、遊星ギアを備えたギアモータが用いられている。このようなギアモータを採用することにより高出力のモータ３０の小型化が可能になる。モータ３０は、モータ３０と同様に本体部２０の内部空間に収容された電源装置４０に電気的に接続されている。本実施形態における電源装置４０としては乾電池が用いられているが、乾電池に代えて商用電源を電源装置として採用することもできる。
【００１４】
図２に示しているように、日よけ部材１０は、蒲芯、御形、やまよし、白唐よし、竹等の天然の素材や合成樹脂により形成された長尺体１２を長尺体１２の径方向に連続的に隣接させた状態の配列とし、隣接する長尺体１２どうしを紐等により編んで連結させることで平面体に形成された公知の構造を有している。
日よけ部材１０は、長尺体１２どうしが隣接する方向における一方の端縁に吊具１４が取り付けられており、この吊具１４は本体部２０の外表面に取り付けられた連結具２２，２６に連結されている。このように形成された日よけ部材１０は、長尺体１２どうしが隣接する方向に沿って連結具２２，２６を介して本体部２０の外周面にロール状に巻回可能に取り付けられている。
【００１５】
本体部２０に取り付けられた連結具（第１の連結具）２２は、連結具用ホルダ２４に装着するリング状の装着部２２Ａと、日よけ部材１０の吊具１４を吊り下げるための吊下具２２Ｂとを有している。図２に示すように、連結具２２は本体部２０を外周面に取り付けられた連結具用ホルダ２４を介して本体部２０の外周面に取り付けられている。
また、図３に示すように、この連結具用ホルダ２４は、本体部２０が挿通可能な短円筒状部２４Ａと短円筒状部２４Ａの外径寸法よりも大径なフランジ部２４Ｂとを有している。連結具２２は、短円筒状部２４Ａの端縁部どうしを向い合せて配設した２つの連結具用ホルダ２４のフランジ部２４Ｂ，２４Ｂにより装着部２２Ａが挟持された状態で本体部２０の外周面に沿って回転可能に保持されている。
【００１６】
具体的には、一方の連結具用ホルダ２４の短円筒状部２４Ａに本体部２０を挿通させた後、必要に応じて連結具用ホルダ２４を本体部２０に固定する。次いで、一方の連結具用ホルダ２４の短円筒状部２４Ａの外周面に連結具２２の装着部２２Ａの内周面を重ねるようにして装着し、他方の連結具用ホルダ２４の短円筒状部２４Ａの端部を一方の連結具用ホルダ２４の短円筒状部２４Ａに突き合わせるようにして本体部２０に取り付けている。連結具２２の装着部２２Ａは短円筒状に形成されていて、装着部２２Ａの内径寸法は連結具用ホルダ２４の短円筒状部２４Ａの外径寸法よりも径大寸法に形成されている。連結具用ホルダ２４の短円筒状部２４Ａの外周面と連結具２２の装着部２２Ａの内周面は、いずれも平滑面に形成されている。これにより連結具２２の装着部２２Ａは、本体部２０の外周面における日よけ部材１０の巻き上げ動作および巻出し動作のいずれにおいても連結具用ホルダ２４の短円筒状部２４Ａの外周面に沿ってスライド回転可能な状態になる。このような連結具２２と連結具用ホルダ２４は、図２に示す自動すだれ１００の本体部２０の延長方向における一方の端部（図２中では左端部）と本体部２０の延長方向の中間位置の二箇所に設けられ、日よけ部材１０を吊り下げ保持している。
【００１７】
自動すだれ１００の本体部２０の他端部（図２中では右端部）においては、第２の連結具２６と第２の連結具２６を保持する第２の連結具ホルダ２８とにより日よけ部材１０を本体部２０に吊り下げ保持している。第２の連結具２６も先に説明した連結具２２と同様に第２の連結具ホルダ２８を介して本体部２０に取り付けられているので、ここでの詳細な取り付け方法の説明は省略する。
本体部２０の他端部側に装着されている第２の連結具用ホルダ２８は、図４に示すように、本体部２０が挿通可能な短円筒状部２８Ａと短円筒状部２８Ａの外径寸法よりも大径なフランジ部２８Ｂとを有している点においては、第１の連結具用ホルダ２４と同様である。これに対して、短円筒状部２８Ａの外周面に周方向に連続する凹凸部２８Ｃが形成されている点が第１の連結具用ホルダ２４の構成と相違している。
【００１８】
この凹凸部２８Ｃは、図４に示すように、凹凸部２８Ｃを構成する稜線が凹凸部２８Ｃの頂点を通過する短円筒状部２８Ａの径方向の直線に対して非対称である三角形形状に形成されている。また、第２の連結具用ホルダ２８に対応する第２の連結具２６は、短円筒状部２８Ａの外周面に内周面を重ねるようにして装着される装着部２６Ａを有している。装着部２６Ａの内周面には、短円筒状部２８Ａの外周面に形成された凹凸部２８Ｃに対して、一方の回転方向においてのみ凹凸部２８Ｃと凹凸嵌合する形状に形成された嵌合部２６Ｃが形成されている。符号２６Ｂは第２の連結具２６に形成された吊下具である。
【００１９】
このように形成された第２の連結具２６と第２の連結具用ホルダ２８とは、第１の連結具２２と第１の連結具用ホルダ２４と同様にして本体部２０に装着されている。第２の連結具２６の装着部２６Ａの内周面に形成された嵌合部２６Ｃと、第２の連結具用ホルダ２８の装着部２８Ａの外周面形成された凹凸部２８Ｃと、は、本体部２０が日よけ部材１０を巻き上げる方向（図４中の矢印Ａの向き）に回転した場合においてのみ互いに凹凸嵌合する形状に形成されている。このようなワンウェイクラッチ機構を採用することにより、本体部２０が所定方向に回転駆動することで日よけ部材１０を本体部２０の外周面に沿ってロール状に巻回させることが可能になり、日よけ部材１０を重力の作用に抗して確実に巻き上げ処理することができる。
これとは反対に、日よけ部材１０を本体部２０の外表面から巻き出し処理する際は、本体部２０が日よけ部材１０を巻き出す方向（図４中の矢印Ａと反対の向き）に回転するので、嵌合部２６Ｃと凹凸部２８Ｃは凹凸嵌合せず、重力の作用により日よけ部材１０を本体部２０の外周面から確実に巻き出し処理することができる。また、第１の連結具２２を用いずに、第２の連結具２６のみを用いた形態としてもよい。
【００２０】
図５は、図１のＡ部分を拡大した説明図である。本実施形態においては自動すだれ１００における本体部２０の左端部を示している。本体部２０の内部空間には先述にもあるとおり、本体部２０を回転駆動させるための駆動源であるモータ３０が収容されている。
モータ３０は、ハウジング部３２の外周面の一部が本体部２０の内周面と一体となるようにして固定されている。図５ではハウジング部３２の外周面の一部と本体部２０の内周面の一部が直接取り付けられているように示されているが、ハウジング部３２と本体部２０の内周面との間にハウジング部３２と本体部２０とを固定するための仲介部材を用いてもよい。
【００２１】
モータ３０の出力軸３４は、本体部２０の長手方向における一方の端部を貫通し、本体部２０の外部に突出した状態になっている。出力軸３４の先端部には、自動すだれ１００（本体部２０）を保持部材７０の切欠部７２に保持させた状態で出力軸３４の回転動作を拘束するための出力軸固定用装着部材３６が取り付けられている。出力軸固定用装着部材３６は、保持部材７０の切欠部７２の切欠形状に合わせた形状に形成されていて、切欠部７２と嵌合可能に形成されている。
このように、ハウジング部３２が本体部２０に固定されたモータ３０の出力軸３４の回転を、出力軸固定用装着部材３６および切欠部７２により拘束した状態においてモータ３０を駆動させると、ハウジング部３２側である本体部２０が回転駆動することになる。
【００２２】
図５に示すように、本体部２０の内部空間における径寸法は、モータ３０のハウジング部３２の径寸法より大径寸法に形成されており、本体部２０の内部空間とハウジング部３２との間に隙間部分Ｓが形成される。この隙間部分Ｓを用いて本体部２０の内部空間に収容された信号受信部および電源供給制御部を兼ねた制御部５０と本体部２０の外部近傍位置に配設された機械式の停止スイッチ６０とが配線５２により電気的に接続されている。本実施形態における機械式の停止スイッチ６０は、別体のスイッチ部９０から送信された動作信号に基づいて作動したモータ３０の動作を適宜位置で停止させるためのものである。
【００２３】
停止スイッチ６０について具体的に説明する。
停止スイッチ６０は、図５および図６に示すように、本体部２０が回転する回転軸周りに沿って渦巻き状に形成された渦巻き経路６２と、渦巻き経路６２に沿って移動するアーム６４と、２つの接触スイッチ６６，６７とを有している。停止スイッチ６０のアーム６４は、本体部２０の一方の端部（左側端部）に着脱可能なキャップ体２０Ａに一体形成されている。
具体的には、アーム６４の一端部６４Ａはキャップ体２０Ａを貫通して、キャップ体２０Ａの外側面で回動可能に連結されている。アーム６４はクランク状の屈曲形状をなし、一端部６４Ａ以外の部分は、キャップ体２０Ａの内側部分に収容されている。また、アーム６４の他端部６４Ｂは、本体部２０の端部においてキャップ体２０Ａの内側面に対面させた状態で形成された渦巻き経路６２の経路内に進入することになる。すなわち、アーム６４の他端部６４Ｂは渦巻き経路６２によってガイドされ、モータ３０により本体部２０が回転すると、渦巻き経路６２に沿って本体部２０の回転軸周りを周回することになる。
【００２４】
渦巻き経路６２は、日よけ部材１０を本体部２０の外周面に巻回するために必要な周回転数に加え、半回転余分に回転するように周回回数が適宜設定されている。本実施形態においては、本体部２０の外周面に日よけ部材１０を巻回するために５回転半回転させる必要があったので、渦巻き経路６２の周回回数は６回転に設定した。このように、本体部２０の外周面に日よけ部材１０を巻回するために必要な周回数を超過させて本体部２０を回転させることにより、本体部２０の外周面から日よけ部材１０を巻き出しする際には、必ず日よけ部材１０の全体を確実に本体部２０の外周面から巻出し処理することができる。また、日よけ部材１０の巻出し動作時に本体部２０が必要周回数以上に回転をしたとしても、連結具２２，２６がそれぞれ空転するだけであるので、本体部２０の外周面から巻き出した日よけ部材１０が本体部２０の外周面に再び巻き上げられてしまうことはない。
【００２５】
これに対して本体部２０の外周面への日よけ部材１０の巻き上げ処理時においては、日よけ部材１０の全量を本体部２０の外周面に巻回が終わった後も第２の連結具２６のワンウェイクラッチ機構によりさらに半回転分巻き上げ動作が継続することになる。しかしながら、本体部２０が同じ方向に回転しているため、本体部２０が半回転余分に回転したとしても、本体部２０の外周面からの日よけ部材１０の垂れ下がり部分が若干余分になる等するだけであるため、使用上において何ら不具合はない。
【００２６】
このようにして形成された渦巻き経路６２の最外周位置には、モータ３０による日よけ部材１０の巻き上げ動作停止用の第１の接触スイッチ６６が配設され、渦巻き経路６２の最内周位置には、モータ３０による日よけ部材１０の巻き出し動作停止用の第２の接触スイッチ６７が配設されている。
モータ３０による日よけ部材１０の巻き上げ動作と、モータ３０による日よけ部材１０の巻き出し動作は、それぞれスイッチ部９０から送信された動作信号を受信することにより動作が開始するように設定されている。ここで、図７は、停止スイッチにおけるアームの移動軌跡を示すキャップ体の内側正面図である。
【００２７】
スイッチ部９０から送信された動作信号（第１の動作信号または第２の動作信号）を制御部５０の信号受信部（図示せず）が受信すると、制御部５０の電源供給制御部（図示せず）は受信した動作信号に基づいてモータ３０へ電源を供給する。モータ３０は供給された電流の向きに応じて、所定の回転方向に回転して本体部２０を回転駆動させる。本体部２０が回転し続けると、アーム６４の他端部６４Ｂが渦巻き経路６２に沿って移動し（図７中の矢印Ａの方向（すなわち、停止スイッチ６０の径方向に沿って往復動し）、他端部６４Ｂが渦巻き経路６２の端部に配設された第１の接触スイッチ６６または第２の接触スイッチ６７に接触することになる。
【００２８】
第１の接触スイッチ６６または第２の接触スイッチ６７が他端部６４Ｂとの接触を検出すると、第１の接触スイッチ６６と第２の接触スイッチ６７に接続された配線５２を介して制御部５０に電気信号が送信される。制御部５０が第１の接触スイッチ６６または第２の接触スイッチ６７からの電気信号を受信すると、制御部５０の電源供給制御部がモータ３０への電源供給を停止させる処理を実行する。これにより、スイッチ部９０から制御部５０の信号受信部に送信された動作信号に基づいて作動した本体部２０による日よけ部材１０の巻き上げ動作や巻き出し動作（回転動作）を適宜位置において停止させることが可能になっている。
【００２９】
図８は、図１のＢ部分の拡大図である。本体部２０の他端部(右端部)の構造について説明する。図８に示すように本体部２０の右端部分には本体部２０の径寸法よりも細径寸法に形成された細径部８０が連結されている。細径部８０は、本体部２０の回転軸と同一軸線上配置となるように本体部２０に連結されている。
本体部２０に対する細径部８０の取り付け方法について説明する。
まず、本体部２０の他端部側である右端部分にガイド部付キャップ８２ａを、本体部２０の右端部分の内周面に沿ってガイド孔付装着体８２ｂをそれぞれ装着する。ガイド部付キャップ８２ａおよびガイド孔付装着体８２ｂは、本体部２０の延長方向に所要間隔をあけた配置とし、それぞれ本体部２０の径方向に対してネジＮにより取り付けすることができる。
【００３０】
細径部８０の本体８１は、ガイド部付キャップ８２ａのガイド部とガイド孔付装着体８２ｂのガイド孔にそれぞれ挿通させた後、ガイド部付キャップ８２ａ部分においてネジＮによりネジ留めすることにより本体部２０に連結されている。ガイド孔付装着体８２Ｂは、ガイド部付キャップ８２ａと所要間隔をあけた位置に配設されているので、細径部８０の本体８１は本体部２０の回転軸と同一軸線上において水平状態で保持されることになる。本体部２０の右端部からの細径部８０の突出量は、ガイド部付キャップ８２ａからの突出量を調整した後にネジＮによりネジ留めすればよく調整可能である。細径部８０の本体８１は筒状体に形成されている。
【００３１】
細径部８０の本体８１の先端には、自動すだれ１００を保持する保持部材７０の切欠部７２に嵌合させるための保持具８５が取り付けられている。図９に保持具８５の正面図（Ａ）と左側面図（Ｂ）と底面図（Ｃ）を示す。保持具８５には、保持具８５の水平方向（建物Ｋの壁面から接離動する方向）に長い長孔８６が形成されている。長孔８６の一端部は他端部側よりも低い位置に凹部８６ａが形成されている。長孔８６の他端部側には接地電極８７が配設されている。図９（Ｂ），（Ｃ）からも明らかなように、接地電極８７は、保持具８５の前後面からそれぞれ半円弧状に突出する板バネ状に形成されている。保持具８５の左右側面と底面には、自動すだれ１００を建物Ｋの壁面に保持する保持部材７０に配設された切欠部７２に嵌合保持させるための凹溝８８ａ，８８ｂが形成されている。保持具８５は、保持部材７０の切欠部７２に凹溝８８ａ，８８ｂを嵌合させた状態で保持部材７０に設置することができる。保持具８５は、接地電極８７が建物Ｋ側になるように保持部材７０の切欠部７２に取り付けられている。
【００３２】
保持具８５は、長孔８６に細径部８０の本体８１を挿通させることで、細径部８０を介して本体部２０を保持している。本体８１の先端には保持具挟持体８３が配設されていて、保持具挟持体８３が保持具８５を挟持するようにして細径部８０が保持具８５に保持されている。保持具挟持体８３の一部を構成する拡径部８３ａは、長孔８６に挿通させた本体８１の先端部から本体８１の内部空間に差込部を差し込んで取り付けられていて差込部の差し込み量を規制すると共に、保持具８５から本体８１が抜けてしまわないようにするための抜け止め部となっている。拡径部８３ａと対をなすスリーブ部８３ｂは、拡径部８３ａと共に保持具８５を挟持するような配置で本体８１の外周面に装着されている。本体８１と保持具挟持体８３とは、本体８１と拡径部８３ａおよびスリーブ体８３ｂがそれぞれ重複する部位でねじＮによりネジ留めすることによりそれぞれが一体となるように取り付けられている。このようにして保持具８５に保持された細径部８０は、保持具８５に形成された長孔８６の位置決め用凹部である凹部８６ａを基本位置として、長孔８６の形状に沿って建物Ｋと接離動可能に保持されることになる。
【００３３】
保持具挟持体８３を構成する拡径部８３ａとスリーブ体８３ｂは、保持具挟持体８３が長孔８６の建物Ｋ側に最接近した際に、保持具８５に取り付けられた接地電極８７と接触する部分に電極８４ａ，８４ｂが取り付けられている。これら電極８４ａ，８４ｂからは配線８４ｃがそれぞれ引き出されていて、本体８１および本体部２０の内部空間を経由して信号受信部４０と電気的に接続されている。電極８４ａ，８４ｂと配線８４ｃにより本体部側接触スイッチ８４が構成されている。本実施形態においては、本体部側接触スイッチ８４と、保持具８５に配設された接地電極８７とにより接触スイッチが構成されている。接触スイッチは、日よけ部材１０を巻き出した状態の自動すだれ１００が強風時に煽られないようにするため、自動的に日よけ部材１０を巻き上げ処理するための強風検出手段として用いられる。
【００３４】
強風検出手段としての本体部側接触スイッチ８４と接地電極８７との動作について説明する。自動すだれ１００は、主に窓Ｗの外側に保持部材７０を介して配設されている。図１０は自動すだれを保持する保持部の設置状態の一例を示す説明図である。図１１は、自動すだれを保持具に設置した状態の一例を示す平面図である。図１２は、通常時と強風時における自動すだれの動きを示す保持具の正面図である。図１２をより具体的に説明すると、通常時と強風時における自動すだれ１００の動きを図１１内の矢印Ｚの方向から保持具８５を臨んだ状態を示す説明図である。
自動すだれ１００を保持する保持部材７０は、図１０に示すように窓Ｗの上部位置に水平方向に所要間隔をあけて複数個所に配設されている。ここでは、２枚の引き戸により窓Ｗが構成されている場合について説明をするが、引き戸の数や本体部２０の長さ寸法に応じて保持部材７０の配設数は適宜調整することができる。
【００３５】
保持部材７０は、一端部が建築物Ｋの壁面にねじ留めにより固定された、いわゆる片持ち梁構造に形成されている。保持部材７０の他端側（自由端側）には、本体部２０の両端部に取り付けられた出力軸固定用装着部材３６および保持具８５が嵌合可能な切欠部７２Ａ，７２Ｂが２箇所に配設されている。このように保持部材７０に対して建築物Ｋの窓Ｗからの離間距離が異なる２箇所に切欠部７２Ａ，７２Ｂを設けることにより、２本の自動すだれ１００Ａ，１００Ｂの端部どうしを図１１に示すように一部重複させた状態で配設することができる。
【００３６】
具体的には、自動すだれ１００Ａについては、左端部に取り付けられた出力軸固定用装着部材３６を左側の保持部材７０の切欠部７２Ａに保持させ、右端部に取り付けられた保持具８５を中央の保持部材７０の切欠部７２Ｂに保持させる。自動すだれ１００Ｂについては、左端部（出力軸固定用装着部材３６）を中央の保持部材７０の切欠部７２Ａに保持させ、右端部（保持具８５）を右側の保持部材７０の切欠部７２Ａに保持させている。すなわち、自動すだれ１００Ａ，１００Ｂはそれぞれの長手方向における軸線が、建築部Ｋの壁面とは非平行状態で配設されることになる。
このような自動すだれ１００Ａ，１００Ｂの設置形態を採用することで、本体部２０の長さ寸法を長くする必要がなく、所定の規格に応じた長さ寸法で製造することができ、低コストで自動すだれ１００を提供することができる。さらには、自動すだれ１００Ａ，１００Ｂの日よけ部材１０が巻き出された状態においても、図１１の矢印Ｘ部分において風の流通が可能になり、建築物Ｋの窓Ｗに対して風を供給することも可能になる点で好都合である。
【００３７】
このようにして配設された自動すだれ１００は、日よけ部材１０を本体部２０から巻き出しすることで、窓Ｗへの日光の照射を遮蔽することで、室内温度の上昇を防いでいる。日よけ部材１０が巻き出された状態において強風が吹くと、日よけ部材１０が風を受け、日よけ部材１０が暴れてしまい危険である。このような状況を回避するために、本実施形態における自動すだれ１００は予め設定されている風速以上の風が吹いたことを検出すると、自動的に日よけ部材１０の巻き上げ処理を行うように設定されている。
【００３８】
強風時における自動すだれ１００の動きについて説明する。
図１２（Ａ）に示すように、設置当初（通常時）における自動すだれ１００の回転軸である細径部８０の本体８１は、保持具８５の長孔８６のうちの位置決め用凹部８６ａの位置で保持されている。通常時やあらかじめ設定した風速以下の風が吹いている場合には、この位置決め用凹部８６ａの位置で細径部８０の本体８１および本体８１に連結している本体部２０が図１２（Ａ）内の矢印方向に回転動作し、日よけ部材１０の巻き出し動作や巻き合上げ動作を行うことになる。位置決め用凹部８６ａは、日よけ部材１０の巻き上げ動作時や巻出し動作時における本体部２０の回転によっては細径部８０の本体８１が位置決め用凹部８６ａから逸脱することがないような形状に形成されている。
【００３９】
日よけ部材１０が巻き出された状態において予め設定している風速以上の風が吹くと、日よけ部材１０が風を受けて、図１２（Ｂ）に示すように細径部８０の本体８１が位置決め用凹部８６ａの凹部を乗り越え、細径部８０の本体８１（自動すだれ１００の右端部分）を長孔８６に沿って建物Ｋに向かって（図１２（Ｂ）内の矢印Ａの向きに）スライド移動させる。このとき、細径部８０の本体８１は、回転を伴いながらのスライド移動や回転を伴わないスライド移動をする。位置決め用凹部８６ａの深さ寸法や形状を適宜調整することで、細径部８０位置決め用凹部８６ａを乗り上げる際の風速を任意の風速に設定することが可能である。
【００４０】
細径部８０の本体８１が長孔８６に沿って建物Ｋ側に接近するようにスライド移動をすると、やがて長孔８６の建物側端部に細径部８０の本体８１が図１２（Ｃ）に示すように衝突することになる。本体８１の先端部分には、保持具挟持体８３である拡径部８３ａとスリーブ部８３ｂが取り付けられていて、それぞれの内側表面には電極８４ａ，８４ｂが設けられている。また、長孔８６の建物側端部には接地電極８７が設けられている。細径部８０の本体部８１が長孔８６の建物側端部に衝突すると、電極８４ａ，８４ｂと接地電極８７とが接触して通電し、配線８４ｃを介して信号受信部４０に電流が供給されることになる。本実施形態においては、電極８４ａ，８４ｂと接地電極８７とにより接触スイッチを構成し、接触スイッチによる電流供給の有無を接触検出信号として用いているが、接触検出信号の具体的な実施形態は本実施形態で示した接触スイッチによる電流供給の有無を検出する形態に限定されるものではない。例えば、接触センサ等の接触検出手段と接触検出手段に接続された無線信号発生手段と、無線信号発生手段からの無線信号による接触検出信号を受信する信号受信部とによる構成等の他、公知の接触スイッチおよび接触検出信号の構成を適宜採用することができるのはもちろんである。
【００４１】
信号受信部４０が、接触スイッチによる接触検出信号を検出すると、電源供給制御部５０が駆動源であるモータ３０に本体部２０に日よけ部材１０を巻回させる巻き上げ動作を実行させるように電源供給を行う。具体的には日よけ部材１０の巻き上げ動作は、図１２（Ｂ）の矢印Ｂの向きに回転するような回動動作を行うことになる。すなわち、一旦強風により長孔８６に沿って建物Ｋに接近するようにスライド移動した自動すだれ１００は、本体部２０の外周面に日よけ部材１０を巻き上げ処理しながら、通常時の保持位置である位置決め用凹部８６ａに戻る動き（建物Ｋから離反する動き）を実行する。このように日よけ部材１０の巻き上げ処理時の回転動作が建物Ｋから自動すだれ１００を離反させる方向への転動動作の動力源になっているため、自動すだれ１００の動作制御を簡便にすることができる点で好都合である。
【００４２】
また、信号受信部４０が接触スイッチから送信された接触検出信号を受信した後、所要時間が経過するまでの間に、次の接触検出信号を受信した場合に、電源供給制御部５０によるモータ３０への電源供給動作を一時停止させるためのポーズ機能を信号受信部４０または電源供給制御部５０のいずれかに追加することもできる。このポーズ機能は、信号受信部４０が第１の接触検出信号を受信した際に起動し、起動後の経過時間を計測するタイマーと、信号受信部４０が第２の接触検出信号を受信した際のタイマーの経過時間を読み取る経過時間読取手段と、経過時間読取手段が読み取った経過時間の状態に応じてモータ３０への電源供給のオンオフを切り替えする切替手段により構成することができる。
【００４３】
信号受信部４０が第２の接触検出信号を受信した際の経過時間が、予め設定されている時間以内である場合には、切替手段が電源供給制御手段５０によるモータ３０への電源供給経路（信号回路）に割り込み、電源供給を一時停止させる処理を行う。タイマーにより計測された経過時間が予め設定されている時間を経過すると、切替手段による電源供給制御手段５０からのモータ３０への電源供給経路（信号回路）への割り込みが解除され、通常通りの電源供給制御がなされる。
このようなポーズ機能により、夏場の台風発生時等、外気温が高い状態で強風が継続的に吹いている場合において、接触スイッチと後述するスイッチ部９０からの動作信号による自動すだれ１００の日よけ部材１０の巻き出し動作と巻き上げ動作を意図せず繰り返し行われてしまうループ動作を回避することができる点で好都合である。
【００４４】
次に、本実施形態にかかる自動すだれ１００を外気温の状態に応じて作動させるためのスイッチ部９０について具体的に説明する。図１３はスイッチ部の内部構造を示す正面透視図である。
本実施形態におけるスイッチ部９０は、熱感知型形状記憶合金からなる第１の付勢材９１と、通常の鋼材からなる第２の付勢材９２とを用い、温度変化によって第１の付勢材９１の付勢力が増減し、第１の付勢材９１と第２の付勢材９２との係合状態が変化することを利用して係合状態に応じて制御部５０の信号受信部へ送信する作動信号を切り替えている。
スイッチ部９０は本体部２０とは別体に配設されていて、スイッチ部９０に内蔵された動作信号生成送信部９９と制御部５０の信号受信部との間においては、無線により動作信号の送受信が行われている。
【００４５】
図１３に示すように、スイッチ部９０は、筐体９３の内部空間に第１の付勢材９１および第２の付勢材９２が互いの軸線どうしがほぼ平行となるようにして並べた状態で収容されている。第１の付勢材９１と第２の付勢材９２の一端部はそれぞれ、筐体９３の底部に配設された付勢材他端側係止部９４に係止されている。第１の付勢材９１と第２の付勢材９２の他端部は、略Ｔ字型形状に形成された回動体９５のうち、略円弧状をなす付勢材係止部９５Ａの両端部位置にそれぞれ係止されている。回転軸固定部９５Ｂは、付勢材係止部９５Ａの周方向における中心位置から付勢材係止部９５Ａの径方向内側に向かって延伸する形状に形成されていて、回転軸固定部９５Ｂの下端部側の位置で筐体９３とピン接合されている。
【００４６】
回動体９５と筐体９３との連結部分である回転軸固定部９５Ｂの下端部側のピン接合位置は、付勢材係止部９５Ａに係止された第１の付勢材９１の一端部と第２の付勢材９２の一端部どうしを結んだ直線から直線の軸線に対して直交する方向に所要距離離間した位置となっている。また、第１の付勢材９１の他端部と第２の付勢材９２の他端部はいずれも、付勢材係止部９５Ａにおける第１の付勢材の他端部と第２の付勢材９２の一端部の係止部から回転軸固定部９５Ｂのピン接合部分までの離間距離よりも遠方位置で筐体９３（付勢材他端側係止部９４）に係止されている。
以上の２つの点が第１の付勢材９１、第２の付勢材９２、筐体９３、回動体９５との間において重要な配置関係となっている。このようにして第１の付勢材９１、第２の付勢材９２、筐体９３に取り付けられた回動体９５は、温度変化により生じる第１の付勢材９１と第２の付勢材９２とのわずかな付勢力の差を駆動源として回転軸固定部９５Ｂの下端部側の位置を中心として回動させることが可能になる。
【００４７】
具体的には夏場のように気温が上昇し、外気温が所定の温度以上になると、熱感知型形状記憶合金によりつるまきばね状に形成された第１の付勢材９１の弾性係数が小さくなり、ばねによる付勢力が極端に低下することになる。これに対してステンレススチールによりつるまきばね状に形成された第２の付勢材９２の弾性係数は、ごくわずかな変化であるため、第２の付勢材９２により得られる付勢力は第１の付勢材９１による付勢力に比較して大きくなる。第１の付勢材９１および第２の付勢材９２はいずれも一端が筐体９３に係止され、他端が回動体９５の付勢材係止部９５Ａの両端部にそれぞれ係止されているので、付勢力の差がある閾値を超えると、回動体９５は、ピン接合部分を回転の中心として、第２の付勢材９２側である右側（時計回り）に一気に回動し、付勢材係止部９５Ａの左端部が筐体９３の内壁面に当接する。この状態は、図１３中において、第１の付勢材９１と回転体９５がそれぞれ破線で示された状態である。
【００４８】
これに対して降雨時や冬場のように外気温が所定温度以下になると、第１の付勢材９１の弾性係数が大きくなり、第２の付勢材９２による弾性係数を上回り、第１の付勢材９１による付勢力が第２の付勢材９２による付勢力を上回り、第１の付勢材９１が第２の付勢材９２を引張させることになる。第１の付勢材９１の付勢力と第２の付勢材９２の付勢力との差が閾値を超えると、回動体９５はピン接合部分を回転の中心として第１の付勢材９１側である左側（反時計周り）に一気に回動して、付勢材係止部９５Ａの右端部が筐体９３の内壁面に当接することになる。この状態は、図１３中において、第１の付勢材９１と回転体９５がそれぞれ実線で示された状態である。
【００４９】
図１３からも明らかなように、本実施形態における付勢材係止部９５Ａの両端上側部分には筐体９３の内壁面との当接部９５Ｃが形成されている。付勢材係止部９５Ａに当接部９５Ｃを設けることで、当接部９５Ｃを設けていない形態に比較して回動体９５の回動範囲を広げることができ、後述するリンク体９６の移動距離を十分確保することができる。
【００５０】
通常、熱感知型の形状記憶合金の温度変化に伴う弾性係数の変化量は、緩やかな変化の割合であることが多く、第１の付勢材９１と第２の付勢材９２を直列に連結した場合では、外気温の変化のみでは回動体９５を回動させるに必要な駆動力を得ることができない場合がある。
この点、本実施形態においては、第１の付勢材９１と第２の付勢材９２とを並列配置とし、付勢材係止部９５Ａと回転軸固定部９５ＢとによりＴ字形状に形成された回動体９５とを用い、第１の付勢材９１および第２の付勢材９２と回動体９５との係合状態をいわゆる「ヤジロベエ」型にしている。このようなヤジロベエ型の回動体９５の構成によれば、温度変化に伴う第１の付勢材９１による付勢力と第２の付勢材２による付勢力の差がわずかな状態であっても、この差が予め設定されていた閾値を超えれば、回動体９５を一気に回動させることができる。
【００５１】
これは先にも説明しているが、第１の付勢材９１と第２の付勢材９２の付勢材係止部９５Ａに対する係止位置どうしを結んだ直線に対して直線と直交する方向に所要距離離間した位置に回転軸固定部９５Ｂと筐体９３との連結部であるピン接合部分を配置していることに起因するものである。このような構成において回動体９５の回転軸固定部９５Ｂが垂直状態から左右のいずれかにわずかに傾斜するだけで、回動体９５全体を一気に回転軸固定部９５Ｂの傾斜方向に回動させることができる。
これにより熱感知型形状記憶合金の温度変化による弾性係数の変化の割合を大きくする必要がなく、安価な熱感知型形状記憶合金で第１の付勢材９１を形成することができ、自動すだれ１００の製造コストを低減することができる点においても好都合である。また、外気温が回動体９５を回動させるための温度になった場合には、直ちに回動体９５を所定の方向に回動させることができ、その状態を確実に維持することが可能である点においても好都合である。
【００５２】
外気温の変化により以上に説明したような回動動作を行う回動体９５の付勢材係止部９５Ａの一方の端部(図１３においては付勢材係止部９５Ａの左側端部)には、ピン接合によりリンク体９６が連結され、回動体９５の付勢材係止部９５Ａに対して回動可能に連結されている。リンク体９６の他方の端部にはリンク体９６の部材厚さ方向に突出する突出部９６Ａが設けられている。この突出部９６Ａは回動体９５の上方位置に配設されたリンクガイド体９７のガイド経路内９７Ａに進入した状態に設けられている。
【００５３】
図１３に示すように、リンクガイド体９７には平行四辺形状をなすガイド経路９７Ａが形成されている。ガイド経路９７Ａに進入しているリンク体９６の突出部９６Ａは、回動体９５の回動状態に応じてガイド経路９７に沿って周回することになる。例えば、図１３において回動体９５が左側に回動し、付勢材係止部９５Ａの左端部が筐体９３の内壁面に当接した状態の場合（実線で示す状態）には、リンク体９６はリンクガイド体９７のガイド経路９７Ａの最下部位置に位置する。この状態から回動体９５が図１３内において右側に回動しはじめると、リンク体９６の突出部９６Ａはガイド経路９７Ａ内を矢印ａの向きに沿って（ガイド経路９７Ａ内を反時計回りに）移動し、回動体９５の付勢材係止部９５Ａの右端部が筐体９３の内壁面に当接する（破線で示す状態になる）と、リンク体９６の突出部９６Ａは、ガイド経路９７Ａ内の最上部位置に位置することになる。この状態は図１３中においてリンク体９６が破線で示された状態である。
【００５４】
そして、回動体９５が筐体９３内の右側内壁面から左側に回動しはじめると、リンク体９６の突出部９６Ａは、ガイド経路９７Ａ内を矢印ｂの向きに沿って移動する。回動体９５の付勢材係止部９５Ａの左端部が筐体９３の内壁面に当接した状態になると、突出部９６Ａは再びガイド経路９７Ａにおける最下部位置に位置することになる。このように、リンクガイド体９７に形成されたガイド経路９７Ａは、回動体９５の左右に往復する回動動作（振動動作）によってリンク体９６の突出部９６Ａの移動軌跡を周回軌跡に変換するものである。
【００５５】
また、ガイド経路９７Ａには第１の通過スイッチ９８Ａと第２の通過スイッチ９８Ｂが配設されている。第１の通過スイッチ９８Ａと第２の通過スイッチ９８Ｂとは、リンク体９６の突出部９６Ａの通過を検出するものであり、ここでは、回動体９５の付勢材係止部９５Ａの左端部が筐体９３の内壁面に当接している状態（これを第１の状態とする）と、付勢材係止部９５Ａの右端部が筐体９３の内壁面に当接している状態（これを第２の状態とする）とを検出することができる位置に第１の通過スイッチ９８Ａと第２の通過スイッチ９８Ｂとを配設している。
【００５６】
第１の通過スイッチ９８Ａがリンク体９６の突出部９６Ａの通過を検出すると、筐体９３の内部空間に収容されている動作信号生成送信部９９は、日よけ部材１０の巻き出し動作（日よけ部材１０により窓等の開口部を覆う動作）を本体部２０に実行させる第１の動作信号を生成すると共に本体部２０の信号受信部５０に第１の動作信号を送信する処理を実行する。
第２の通過スイッチ９８Ｂがリンク体９６の突出部９６Ａの通過を検出すると、動作信号生成送信部９９は、日よけ部材１０の巻き上げ動作（日よけ部材１０による窓等の開口部の被覆状態を解除する動作）を本体部２０に実行させる第２の動作信号を生成すると共に制御部５０の信号受信部に第２の動作信号を送信する処理を実行する。スイッチ部９０の動作電源は筐体９３に内蔵された乾電池Ｂによる。
このようにして、スイッチ部９０に収容された第１の付勢材９１および第２の付勢材９２と回動体９５の動作により、本体部２０に第１の動作制御と第２の動作制御とが必要に応じて送信され、本体部２０による日よけ部材１０の巻き上げ処理や巻出し処理が適宜切り替られるように設定されている。
【００５７】
以上に本願発明について実施形態に基づいて詳細に説明したが、本発明の技術的範囲は以上に説明した実施形態に限定されるものではない。例えば、本実施形態においては、モータ３０と信号受信部および電源供給制御部である制御部５０が円筒状に形成された本体部２０に内蔵された形態について説明しているが、モータ３０と信号受信部および電源供給制御部である制御部５０は本体部２０の外部に配設することもできる。
【００５８】
また、本実施形態においては、停止スイッチ６０の渦巻き経路６２の周回数を６回転分とし、渦巻き経路６２の最外周位置にモータ３０による日よけ部材１０の巻き上げ動作停止用の第１の接触スイッチ６６を、渦巻き経路６２の最内周位置にモータ３０による日よけ部材１０の巻き出し動作停止用の第２の接触スイッチ６７をそれぞれ配設した形態について説明しているが、この形態に限定されるものではない。例えば、渦巻き経路の周回数を７回転分以上に形成しておき、渦巻き経路６２の経路上の任意の部位に第１の接触スイッチ６６および第２の接触スイッチ６７を各々配設する形態としてもよい。
渦巻き経路６２の周回数に余裕があれば、日よけ部材１０および本体部２０の状態に応じて第１の接触スイッチ６６と第２の接触スイッチ６７の配設位置を調整することができる点で好都合である。
【００５９】
また、本実施形態では図９に示すように、他の部分に比較して低い位置に設けられた位置決め用凹部８６ａを有する長孔８６が形成された保持具８５の形態について説明しているが、保持具８５に形成する長孔８６はこの形態に限定されるものではない。例えば、長孔８６は、建物側の端部位置を最高位置として、建物Ｋから離反するに伴って徐々に低位置となるような傾斜型の長孔８６に形成することもできる。このような形態を採用することで保持具８５への位置決め用凹部８６ａの配設は省略することができ、保持具８５を安価に製造することができる。この場合、建物Ｋから最も離反した位置が長孔８６内における最低高さ位置となり、この最低高さ位置が通常時の細径部８０の位置にすることができる。また、強風時と判断する風速は、水平面に対する長孔８６の傾斜角度を緩くしたり急にしたりすることで適宜調整が可能である。
【００６０】
また、本実施形態においては、保持具８５に保持させる側の本体部２０端部に細径部８０を連結した自動すだれ１００の実施形態について説明しているが、細径部８０の連結を省略することも可能である。この場合、保持具８５および長孔８６や保持部材７０のサイズが大きくなるものの、細径部８０の連結を省略することによる自動すだれ１００のコストダウンが可能になる点で好都合である。細径部８０の連結を省略した場合には、長孔８６の建物側の端部位置に接触センサ（図示はせず）を配設することで接触スイッチを構成することは可能である。
【００６１】
また、本実施形態においては、スイッチ部９０に内蔵された動作信号生成送信部９９と本体部２０に内蔵した制御部５０の信号受信部との間においては、無線により動作信号の送受信が行われているが、動作信号生成送信部９９と制御部５０の信号受信部との間は有線による通信形態とすることもできる。
そして、本実施形態においては、信号受信部と電源供給制御部は制御部５０に集約された形態について説明しているが、信号受信部と信号受信部が受信した動作信号に応じてモータ３０への電源供給状態を切り替え制御する電源供給制御部とを別体にした構成を採用することも可能である。
【００６２】
また、本実施形態においては、回動体９５の形状を付勢材係止部９５Ａと回転軸固定部９５Ｂとにより略Ｔ字形状に形成した形態について説明しているが、回動体９５の形状はこの形状に限定されるものではない。回動体９５の他の形状としては、略Ｖ字型の形状や略Ｙ字型の形状であってもよいし、円板形状を採用することもできる。いずれの形態においても、第１の付勢材９１および第２の付勢材９２の一端部の係止位置（付勢材係止部９５Ａ）どうしを結んだ直線と直交する方向であって、第１の付勢材９１および第２の付勢材９２の他端部側に所要距離離間した位置に回転軸固定部９５Ｂを設け、第１の付勢材９１および第２の付勢材９２の他端部がさらに遠方位置となるようにすればよい。
【００６３】
さらに、第１の付勢材９１の外気温の変化による付勢力の増減により回動体９５を回動動作させて、回動体９５に連結したリンク体９６をガイド体９７のガイド経路７２内で周回移動させることで本体部２０へ送信すべき動作信号の生成送信動作を制御しているが、他の方法でもよい。具体的には、回動体９５の付勢材係止部９５Ａの当接部９５Ｃまたは筐体９３の内壁面の少なくとも一方に接触スイッチをそれぞれ配設し、回動体９５の付勢材係止部９５Ａが筐体９３のいずれかの内壁面に当接した際に、動作信号生成送信部９９に第１の動作信号を生成送信させる処理を実行させ、回動体９５の付勢材係止部９５Ａが反対側の筐体９３の内壁面に当接した場合には、動作信号生成送信部９９に第２の動作信号を生成送信させる処理を実行させる形態を採用することもできる。
【００６４】
さらにまた、本実施形態においては、ガイド経路の９７Ａの形状を平行四辺形形状に形成しているが、図１３に示すガイド経路９７Ａと同様に突出部９６Ａの移動軌跡を周回軌跡にすることができれば、他の形状を採用することもできる。さらには、突出部９６Ａの通過方向も検出可能な通過スイッチを用いれば、ガイド経路９７Ａは周回経路に形成しなくてもよい。
【符号の説明】
【００６５】
１０  日よけ部材
１２  長尺体
１４  吊具
２０  本体部
２０Ａ  キャップ体
２２  連結具
２２Ａ  装着部
２２Ｂ  吊下具
２４  連結具用ホルダ
２４Ａ  短円筒状部
２４Ｂ  フランジ部
２６  第２の連結具
２６Ａ  装着部
２６Ｂ  吊下具
２６Ｃ  嵌合部
２８  第２の連結具用ホルダ
２８Ａ  短円筒状部
２８Ａ  装着部
２８Ｂ  フランジ部
２８Ｃ  凹凸部
３０  モータ
３２  ハウジング部
３４  出力軸
３６  出力軸固定用装着部材
４０  電源装置
５０  制御部
５２  配線
６０  停止スイッチ
６２  渦巻き経路
６４  アーム
６４Ａ  一端部
６４Ｂ  他端部
６６  第１の接触スイッチ
６７  第２の接触スイッチ
７０  保持部材
７２，７２Ａ，７２Ｂ  切欠部
８０  細径部
８１  本体
８２ａ  ガイド部付キャップ
８２ｂ  ガイド孔付装着体
８３  保持具挟持体
８３ａ  拡径部
８３ｂ  スリーブ部
８４ａ，８４ｂ  電極
８５  保持具
８６  長孔
８６ａ  位置決め用凹部
８７  接地電極
８８ａ，８８ｂ  凹溝
９０  スイッチ部
９１  第１の付勢材
９２  第２の付勢材
９３  筐体
９４  付勢材他端側係止部
９５  回動体
９５Ａ  付勢材係止部
９５Ｂ  回転軸固定部
９５Ｃ  当接部
９６  リンク体
９６Ａ  突出部
９７  リンクガイド体
９７  ガイド経路
９７Ａ  ガイド経路
９８Ａ  第１の通過スイッチ
９８Ｂ  第２の通過スイッチ
９９  動作信号生成送信部
１００，１００Ａ，１００Ｂ  自動すだれ
Ｂ  乾電池
Ｋ  建築物
Ｎ  ネジ
Ｓ  隙間部分
Ｗ  窓
【図１】
2012251326.tif 000003
【図２】
2012251326.tif 000004
【図３】
2012251326.tif 000005
【図４】
2012251326.tif 000006
【図５】
2012251326.tif 000007
【図６】
2012251326.tif 000008
【図７】
2012251326.tif 000009
【図８】
2012251326.tif 000010
【図９】
2012251326.tif 000011
【図１０】
2012251326.tif 000012
【図１１】
2012251326.tif 000013
【図１２】
2012251326.tif 000014
【図１３】
2012251326.tif 000015